(57)【特許請求の範囲】
【請求項１】
脚付き家具に用いられ、
板体（１３）の下面（１３ａ）に取り付けられる板体側金具（２）と、脚体（２１）の上端面（２１ａ）に取り付けられる脚体側金具（１５）とを備え、前記板体側金具と前記脚体側金具の連結により前記板体の前記下面に略垂直に前記脚体を取り付ける、脚付き家具における脚体の取付具（１）において、
前記板体側金具は、
ブロック状の本体部（４）と、該本体部の側面の一部に突設されたブロック状の突出部（５）とからなり、前記本体部の上面から下面まで貫通した貫通孔（６）が設けられるとともに、前記本体部の下面における前記突出部との境界付近から前記貫通孔まで斜めに貫通したネジ孔（９）が設けられた金具本体（３）と、
前記金具本体の前記ネジ孔に取り付けられる固定ネジ（１２）と、を備え、
前記板体の前記下面に設けられた前記金具本体の側周面の外形と略同等の形状の凹部（１４）に該金具本体を嵌入させた後にネジなどで固定することで該下面に取り付けられ、
前記脚体側金具は、
前記板体側金具の前記金具本体に設けられた前記貫通孔に嵌入可能な形状に形成され、その側周面に前記金具本体の前記ネジ孔の貫通角度と略直交する上部斜面（１８ａ）と該貫通角度と略平行する下部斜面（１８ｂ）とからなるクビレ部（１７）が設けられた頭部（１６）と、
前記頭部の下方に設けられた木螺子からなるネジ部（２０）と、を備え、
前記脚体の前記上端面に前記ネジ部をねじ込んで該上端面に前記頭部だけを突出させて取り付けられ、
前記板体側金具と前記脚体側金具の連結時には、前記頭部を前記金具本体の前記貫通孔に嵌入させた後、前記ネジ孔に取り付けられた前記固定ネジの先端面（１２ｂ）を前記クビレ部の前記上部斜面に付き当てることで前記貫通孔に嵌入された前記頭部が保持されることを特徴とする脚付き家具における脚体の取付具。
【請求項２】
前記板体側金具（２）の前記本体部（４）に設けられた前記貫通孔（６）が略円形に形成され、前記脚体側金具（１５）の前記頭部（１６）が前記貫通孔に嵌入可能な径を有する略円形に形成されたことを特徴とする請求項１記載の脚付き家具における脚体の取付具。
【請求項３】
前記板体側金具（２）の前記金具本体（３）における少なくとも前記本体部（４）の側周面に、該本体部の前記下面（１３ａ）に向けて拡径した錐状の抜止部（１０）が設けられたことを特徴とする請求項１又は２記載の脚付き家具における脚体の取付具。
【請求項４】
前記脚体側金具（１５）は、鉄又はステンレスを材料とした製品であることを特徴とする請求項１又は２又は３記載の脚付き家具における脚体の取付具。
【請求項５】
請求項１又は２又は３記載の脚付き家具における脚体の取付具（１）を用いて板体（１３）の下面（１３ａ）に脚体（２１）が取り付けられたことを特徴とする脚付き家具。
【発明の詳細な説明】
【技術分野】
【０００１】
本発明は、板体の下面に略垂直に脚体が取り付けられた、卓や椅子などのような脚付き家具における脚体の取付具及びこれを用いた脚付き家具に関する。
【背景技術】
【０００２】
従来、特許文献１に開示されるようなテーブルにおける脚体の取付具がある。この取付具は、天板（板体）の下面に形成された凹部に嵌合固定される受け具としての板体側金具と、脚体の上部に固定される脚体側金具とを備え、板体側金具に脚体側金具の上部を嵌入してこの金具を固定ネジを介して連結することにより、取付具を介して板体の下面に脚体を連結固定するものである。この取付具によれば、板体に脚体を直接取り付けることができるため、これ以前のように、板体の下面の外周に幕板を取り付けたうえでその四隅に脚体を取り付けるなどの複雑な取付構造を必要とせず、構造的又はデザイン的に簡素な構成とすることができる。
【０００３】
また、特許文献２、３には、上述した特許文献１に開示の取付具に更に改良を加えた、受け金具の取付穴の加工誤差に伴う脚体のはみ出しを防止するための調整機構を備えた取付具が開示されている。これらの取付具は、板体側金具と脚体側金具を連結するために受け金具に斜めに挿入される固定ネジを緩めた状態で、板体に固定される受け金具と脚体が固定される挟持金具とが相対的に移動可能に構成されており、固定ネジを緩めた状態で、板体側の受け金具が挟持金具と脚体の上端面の脚体側金具のフランジ部との間に挟持固定されるため、板体の下面に脚体を移動可能に固定することができ、取付位置の誤差などによる見栄えの低下を抑えることができるという利点がある。
【先行技術文献】
【特許文献】
【０００４】
【特許文献１】特許第２８４６５９７号公報
【特許文献２】特開２００９−９５４２２号公報
【特許文献３】特開２０１１−１１２１２９公報
【発明の概要】
【発明が解決しようとする課題】
【０００５】
しかしながら、上述した従来（特許文献２、３）の取付具は、共に板体側の受け金具と脚体側金具の間に挟持金具を必要としており、取付具として部品点数が多いものであった。また、これらの取付具では、板体側金具と脚体側金具を連結したときに脚体がスライド移動して取付位置がずれることがあった。さらに、従来（特許文献２、３）の取付具における板体側の円板状の受け金具はいずれも、板体側金具と脚体側金具を連結するために固定ネジを取り付けたときに好適な強度を得るために大径に形成する必要があり、取付具としては大型であった。
【０００６】
また、上述した従来（特許文献２、３）の取付具は、いずれも脚体が板体下面の面方向にスライド移動することから脚体の取付位置の微調整が可能になるものの、脚体の回転方向の調整はほとんどできなかった。このような回転方向の調整は、脚体が丸脚であればそれほど必要ないが、脚体が角脚の場合にはテーブルなどの角に角脚の角をあわせるときの調整に必要となる。
【０００７】
本発明は、上記状況に鑑みてなされたものであり、小型で部品点数が少なく、板体に脚体を取り付けるとき又は取り付けた後にこの脚体の回転方向の調整が可能な脚付き家具における脚体の取付具及びこれを用いた脚付き家具を提供することを目的としている。
【課題を解決するための手段】
【０００８】
次に、上記の課題を解決するための手段を、各実施形態に対応する図面を参照して説明する。
本発明に係る請求項１記載の脚付き家具における脚体の取付具は、脚付き家具に用いられ、
板体１３の下面１３ａに取り付けられる板体側金具２（３２）と、脚体２１の上端面２１ａに取り付けられる脚体側金具１５（４２）とを備え、前記板体側金具２（３２）と前記脚体側金具１５（４２）の連結により前記板体１３の前記下面１３ａに略垂直に前記脚体２１を取り付ける、脚付き家具における脚体の取付具１（３１）において、
前記板体側金具２（３２）は、
ブロック状の本体部４（３４）と、該本体部４（３４）の側面の一部に突設されたブロック状の突出部５（３５）とからなり、前記本体部４（３４）の上面から下面まで貫通した貫通孔６（３６）が設けられるとともに、前記本体部４（３４）の下面における前記突出部５（３５）との境界付近から前記貫通孔６（３６）まで斜めに貫通したネジ孔９（３９）が設けられた金具本体３（３３）と、
前記金具本体３（３３）の前記ネジ孔９（３９）に取り付けられる固定ネジ１２（４１）と、を備え、
前記板体１３の前記下面１３ａに設けられた前記金具本体３（３３）の側周面の外形と略同等の形状の凹部（取付凹部）１４に該金具本体３（３３）を嵌入させた後にネジなどで固定することで該下面１３ａに取り付けられ、
前記脚体側金具１５（４２）は、
前記板体側金具２（３２）の前記金具本体３（３３）に設けられた前記貫通孔６（３６）に嵌入可能な形状に形成され、その側周面に前記金具本体３（３３）の前記ネジ孔９（３９）の貫通角度と略直交する上部斜面１８ａ（４５ａ）と該貫通角度と略平行する下部斜面１８ｂ（４５ｂ）とからなるクビレ部１７（４４）が設けられた頭部１６（４３）と、
前記頭部１６（４３）の下方に設けられた木螺子からなるネジ部２０（４７）と、を備え、
前記脚体２１の前記上端面２１ａに前記ネジ部２０（４７）をねじ込んで該上端面１３ａに前記頭部１６（４３）だけを突出させて取り付けられ、
前記板体側金具２（３２）と前記脚体側金具１５（４２）の連結時には、前記頭部１６（４３）を前記金具本体３（３３）の前記貫通孔６（３６）に嵌入させた後、前記ネジ孔９（３９）に取り付けられた前記固定ネジ１２（４１）の先端面１２ｂ（４１ｂ）を前記クビレ部１７（４４）の前記上部斜面１８ａ（４５ａ）に付き当てることで前記貫通孔６（３６）に嵌入された前記頭部１６（４３）が保持されることを特徴としている。
【０００９】
請求項２記載の脚付き家具における脚体の取付具は、請求項１記載の脚付き家具における脚体の取付具１（３１）において、前記板体側金具２（３２）の前記本体部４（３４）に設けられた前記貫通孔６（３６）が略円形に形成され、前記脚体側金具１５（４２）の前記頭部１６（４３）が前記貫通孔６（３６）に嵌入可能な径を有する略円形に形成されたことを特徴としている。
【００１０】
請求項３記載の脚付き家具における脚体の取付具は、請求項１又は２記載の脚付き家具における脚体の取付具１（３１）において、前記板体側金具２（３２）の前記金具本体３（３３）における少なくとも前記本体部４（３４）の側周面に、該本体部４（３４）の前記下面１３ａに向けて拡径した錐状の抜止部１０（４０）が設けられたことを特徴としている。
【００１１】
請求項４記載の脚付き家具における脚体の取付具は、請求項１又は２又は３記載の脚付き家具における脚体の取付具１（３１）において、前記脚体側金具１５（４２）は、鉄又はステンレスを材料とした製品であることを特徴としている。
【００１２】
請求項５記載の脚付き家具は、請求項１又は２又は３記載の脚付き家具における脚体の取付具１（３１）を用いて板体１３の下面１３ａに脚体２１が取り付けられたことを特徴としている。
【発明の効果】
【００１３】
本発明に係る請求項１記載の脚体の取付具によれば、板体側金具と脚体側金具の間には従来のような挟持金具が介在しないため、部品点数が少なくなる。また、板体側金具では、金具本体に本体部から突出した突出部を設けたことにより、板体側金具と脚体側金具を連結するために固定ネジが螺合されるネジ孔を設けるための面積を確保することができる。これにより、ネジ孔を設けたことによる強度低下はなくなり、金具本体には十分な強度が得られる。すなわち、突出部があれば本体部を小径としても強度が低下せず、金具本体を小型に形成することができる。
【００１４】
請求項２記載の脚体の取付具によれば、板体側金具と脚体側金具を連結するとき又は連結した後に、脚体を板体に対してその面方向に回転させることができる。これにより、脚体は回転方向に調整可能となり、例えば、脚体が角脚であり、この角脚の角を板体の角にあわせる場合などに特に有効となる。
【００１５】
請求項３記載の脚体の取付具によれば、板体側金具の金具本体を板体の凹部に嵌入した後の抜止強度を高めることができる。
【００１６】
請求項４記載の脚体の取付具によれば、脚体側金具の強度を従来よりも高めることができる。これにより、取付具を全体として小型にすることができ、このように小型形成しても、取付具として十分な強度が得られる。
【００１７】
請求項５記載の脚付き家具によれば、小型で部品点数が少ないことによる安価な取付具を用いることに加えて、脚体の取付位置が調整可能となることから家具製品としての歩留り低下を抑えることができ、安価となる。
【図面の簡単な説明】
【００１８】
【図１】（ａ）第１実施形態の板体側金具の金具本体を示す平面図である。  （ｂ）同正面図である。  （ｃ）同底面図である。
【図２】（ａ）第１実施形態の脚体側金具を示す平面図である。  （ｂ）同正面図である。
【図３】（ａ）板体における板体側金具（金具本体）が取り付けられる下面の凹部を示す斜視図である。  （ｂ）脚体における脚体側金具が取り付けられる上端面を示す斜視図である。
【図４】板体と脚体が分離された状態を示す正面図である。
【図５】板体と脚体（板体側金具と脚体側金具）が連結された状態を示す正断面図である。
【図６】連結された板体側金具と脚体側金具を示す底面図である。
【図７】連結された板体側金具と脚体側金具にて脚体（角脚）の位置調整を説明するための図（底面図）である。
【図８】（ａ）第２実施形態の板体側金具の金具本体を示す平面図である。  （ｂ）同正面図である。  （ｃ）同底面図である。
【図９】（ａ）第２実施形態の脚体側金具を示す平面図である。  （ｂ）同正面図である。
【図１０】板体と脚体（板体側金具と脚体側金具）が連結された状態を示す正断面図である。
【図１１】連結された板体側金具と脚体側金具を示す底面図である。
【発明を実施するための形態】
【００１９】
以下、本発明の実施形態を図面を参照して具体的に説明する。
各実施形態（脚体の取付具）は、卓や椅子などのような、板体１３の下面１３ａに略垂直に脚体２１が取り付けられた脚付き家具に用いられ、板体１３に対して脚体２１を取り付けるための取付具１，３１である。
【００２０】
「第１実施形態」
図１乃至５に示すように、第１実施形態の取付具１は、板体１３に取り付けられる板体側金具２と、脚体２１に取り付けられる脚体側金具１５とで構成されている。
図１に示すように、板体側金具２は、金具本体３と、固定ネジ１２とを備えている。金具本体３は、略円形のブロック状の本体部４と、本体部４の側面の一部に突設された略円形のブロック状の突出部５とからなる。なお、突出部５は、その径が本体部４の径よりも小径に形成されている。（ａ）及び（ｃ）に示すように、本体部４には、その上面から下面まで貫通した略円形の貫通孔６が設けられている。また、本体部４には、金具本体３を後述する板体１３の下面１３ａに設けられた凹部１４に嵌入した後に固定するためのネジ７（図６参照）を取り付けるための２つのネジ孔８が設けられている。さらに、（ｃ）に示すように、本体部４の下面（底面）における突出部５との境界付近には、貫通孔６の内面の上部まで斜めに貫通したネジ孔９が設けられている。
【００２１】
図１に示すように、金具本体３には、本体部４の側面にこの本体部４の下面に向けて拡径した略三角錐状の抜止部１０が設けられている。抜止部１０は、複数設けられているとともに、これらが等間隔をあけて設けられている。なお、この実施の形態では、本体部４の側面にだけ抜止部１０が設けられているが、突出部５の側面にも設けられた構成としてもよい。
【００２２】
また、金具本体３は、主に亜鉛を材料とした一体的なダイカスト製品であり、図１（ａ）にあらわれる凹部１１などのように、必要な部品強度を確保していれば、適宜に肉抜き加工が施されていてもよい。
【００２３】
図５に示すように、固定ネジ１２は、金具本体３のネジ孔９に取り付けられるネジであり、その頭部の上端面にはこの固定ネジ１２を締め付けるときに六角レンチの先端部が嵌合される略六角形の凹部１２ａが設けられている。固定ネジ１２は、その先端部（先端面１２ｂ）によって後述する脚体側金具１５の頭部１６を貫通孔６の内部に保持するものである。
【００２４】
板体側金具２は、板体１３の下面１３ａにおける所定の取付位置（例えば、板体１３が略矩形のものであれば、その四隅に近い位置）に取り付けられる。図３（ａ）に示すように、取付位置には、金具本体２の側周面の外形と略同等形状の凹部（取付凹部）１４が設けられている。板体側金具２は、金具本体２をその上面側から嵌入した後にネジ７（図６参照）により固定することで、図４に示すように、取付凹部１４に取り付けられる。
【００２５】
図２に示すように、脚体側金具１５は、頭部１６と、ネジ部２０とを備えている。頭部１６は、全体的に上述した板体側金具２の貫通孔６に嵌入可能な形状に形成されている。すなわち、頭部１６は、貫通孔６の径よりも僅かに小さい径の略円形のブロック状となるように形成されている。さらに、（ｂ）に示すように、頭部１６の側周面には、この頭部１６を嵌入した状態において、貫通孔６に斜めに貫通したネジ孔９の貫通角度と略直交する上部斜面１８ａと、貫通角度と略平行する下部斜面１８ｂとからなるクビレ部１７が設けられている。また、（ａ）に示すように、頭部１６の上端面には、脚体側金具１５を締め付けるときに六角レンチの先端部が嵌合される略六角形の凹部１９が設けられている。
【００２６】
また、図１（ｂ）に示すように、頭部１６の下方には、木螺子からなるネジ部２０が設けられている。なお、脚体側金具１５は、鉄又はステンレスを材料とした製品であり、頭部１６とネジ部２０は一体的なものである。
【００２７】
脚体側金具１５は、脚体（丸脚）２１の上端面２１ａにおける所定の取付位置（通常は、上端面２１ａにおける略中央の位置）にネジ部２０をねじ込んで、図４に示すように、頭部１６だけを突出させて取り付けられる。図３（ｂ）に示すように、丸脚２１の上端面２１ａにはその端縁部の所定位置に、上述した板体側金具２の固定ネジ１２を妨げないように切欠き２２が設けられている。また、丸脚２１の上端面２１ａにおける取付位置には、ネジ部２０をねじ込んだときに割れを防止するために小孔（ねじ込み孔２３）が位置決めを兼ねて設けられている。
【００２８】
図５に示すように、板体側金具２と脚体側金具１５を連結することにより、板体１３の下面１３ａに略垂直に脚体（丸脚）２１を取り付けることができる。詳細には、脚体側金具１５の頭部１６を板体側金具２の貫通孔６に嵌入させた後に、金具本体３のネジ孔９に取り付けられた固定ネジ１２の先端面１２ｂをクビレ部１７の上部斜面１８ａに付き当てることで、貫通孔６に嵌入された頭部１６がその位置に保持されるとともに、固定ネジ１２を更に締め付けることで、頭部１６は貫通孔６の奥側へと進み、これにより、この取付具１を介して板体１３と丸脚２１が相対的に引き付けられ、板体１３に対して丸脚２１を強固に固定することができる。
【００２９】
上述した第１実施形態によれば、板体側金具２と脚体側金具１５の間に従来のような挟持金具が介在しないため、部品点数が少なくなる。また、板体側金具２では、金具本体３に本体部４から突出した突出部５を設けたことにより、板体側金具２と脚体側金具１５を連結するために固定ネジ１２が螺合されるネジ孔９を設けるための面積を確保することができる。これにより、ネジ孔９を設けたことによる強度低下はなくなり、金具本体３には十分な強度が得られる。さらに、板体１３と脚体２１を連結するときに、脚体側金具１５の頭部１６は板体側金具２の貫通孔６と嵌合状態であるため、固定ネジ１２を締め付けても頭部１６が板体１３の下面１３ａの面方向にスライド移動することがない。これにより、連結時に脚体２１の位置ずれなどが生じることはなくなる。
【００３０】
また、金具本体３（本体部４）に設けられた複数の抜止部１０により、金具本体３を板体１３の取付凹部１４に嵌入した後の抜止強度を高めることができる。
【００３１】
さらに、脚体側金具１５が鉄又はステンレスを材料していることで、その強度を従来の亜鉛と比べて高めることができる。これにより、取付具１を全体として小型にすることができ、このように小型形成しても、取付具１として十分な強度が得られる。
【００３２】
また、図６に示すように、この取付具１では、板体側金具２の金具本体３を小径に形成することができることから、板体１３の隅にきわめて近い位置に脚体（丸脚）２１を取り付けることが可能となる。なお、従来は、板体側金具に大径な円板状の受け金具を必要としていたため、板体の下面の取付凹部を隅に近づけることができず、脚付き家具としてはデザイン的に制約を受けていたが、このような小型の取付具１としたことで、多様な家具デザインに対応させることができるようになる。
【００３３】
さらに、脚体２１は、板体側金具２と脚体側金具１５を連結した後でも板体１３の下面１３ａの面方向に回転させることができる。したがって、図７に示すように、脚体２１が角脚などの場合、この角脚２１を取り付けたときに板体１３の隅に対して角脚２１の角がずれていても、角脚２１を回転方向に微調整することでこのようなずれを解消することができる。
【００３４】
「第２実施形態」
図８乃至１１に示すように、第２実施形態の取付具３１は、板体１３に取り付けられる板体側金具３２と、脚体２１に取り付けられる脚体側金具４２とで構成されている。なお、以下で説明する第２実施形態において、板体側金具３２が取り付けられる板体１３及び脚体側金具４２が取り付けられる脚体２１は共に、上述した第１実施形態と同様、図３に示すものである。
図８に示すように、板体側金具３２は、金具本体３３と、固定ネジ４１とを備えている。金具本体３３は、略円形のブロック状の本体部３４と、本体部３４の側面の一部に突設された略円形のブロック状の突出部３５とからなる。なお、突出部３５は、その径が本体部３４の径よりも小径に形成されている。（ａ）及び（ｃ）に示すように、本体部３４の略中央には、その上面から下面まで貫通した略円形の貫通孔３６が設けられている。また、貫通孔３６の周りには、貫通孔３６を中心として、金具本体３３を板体１３の下面１３ａに設けられた凹部１４に嵌入した後に固定するためのネジ３７（図１１参照）を取り付けるための複数（図８の例では５つ）のネジ孔３８が設けられている。さらに、（ｃ）に示すように、本体部３４の下面（底面）における突出部３５との境界付近には、貫通孔３６の内面の上部まで斜めに貫通したネジ孔３９が設けられている。
【００３５】
図８に示すように、金具本体３３には、本体部３４の側面にこの本体部３４の下面に向けて拡径した略三角錐状の抜止部４０が設けられている。抜止部４０は、複数設けられているとともに、これらが等間隔をあけて設けられている。なお、この実施の形態においても、抜止部４０は、上述した第１実施形態と同様、突出部３５の側面にも設けられた構成としてもよい。
【００３６】
また、金具本体３３は、主に亜鉛を材料とした一体的なダイカスト製品である。さらに、金具本体３３は、第１実施形態と同様、必要な部品強度を確保していれば、適宜に肉抜き加工が施されていてもよい。
【００３７】
図１０に示すように、固定ネジ４１は、金具本体３３のネジ孔３９に取り付けられるネジであり、その頭部の上端面にはこの固定ネジ４１を締め付けるときに六角レンチの先端部が嵌合される略六角形の凹部４１ａが設けられている。固定ネジ４１は、その先端部（先端面４１ｂ）によって後述する脚体側金具４２の頭部４３を貫通孔３６の内部に保持するものである。
【００３８】
板体側金具３２は、板体１３の下面１３ａにおける所定の取付位置（例えば、板体１３が略矩形のものであれば、その四隅に近い位置）に取り付けられる。図３（ａ）に示すように、取付位置には、金具本体３３の側周面の外形と略同等形状の凹部（取付凹部）１４が設けられている。板体側金具３２は、金具本体３３をその上面側から嵌入した後に複数のネジ３７により固定することで、取付凹部１４に取り付けられる。
【００３９】
図９に示すように、脚体側金具４２は、頭部４３と、ネジ部４７とを備えている。頭部４３は、全体的に上述した板体側金具３２の貫通孔３６に嵌入可能な形状に形成されている。すなわち、頭部４３は、貫通孔３６の径よりも僅かに小さい径の略円形のブロック状となるように形成されている。また、頭部４３の側周面には、その円周方向に抵抗を付与可能なように連続する凹凸４３ａが設けられている。さらに、（ｂ）に示すように、頭部４３の側周面には、この頭部４３を嵌入した状態において、貫通孔３６に斜めに貫通したネジ孔３９の貫通角度と略直交する上部斜面４５ａと、貫通角度と略平行する下部斜面４５ｂとからなるクビレ部４４が設けられている。また、（ａ）に示すように、頭部４３の上端面には、脚体側金具１５を締め付けるときに六角レンチの先端部が嵌合される略六角形の凹部４６が設けられている。
【００４０】
また、図８（ｂ）に示すように、頭部４３の下方には、木螺子からなるネジ部４７が設けられている。なお、脚体側金具４２は、鉄又はステンレスを材料とした製品であり、頭部４３とネジ部４７は一体的なものである。
【００４１】
脚体側金具４２は、脚体（丸脚）２１の上端面２１ａにおける所定の取付位置（通常は、上端面２１ａにおける略中央の位置）にネジ部４７をねじ込んで、図１０に示すように、頭部４３だけを突出させて取り付けられる。図３（ｂ）に示すように、丸脚２１の上端面２１ａにはその端縁部の所定位置に、上述した板体側金具２の固定ネジ４１を妨げないように切欠き２２が設けられている。また、丸脚２１の上端面２１ａにおける取付位置には、ネジ部４７をねじ込んだときに割れを防止するために小孔（ねじ込み孔２３）が位置決めを兼ねて設けられている。
【００４２】
図１０に示すように、板体側金具３２と脚体側金具４２を連結することにより、板体１３の下面１３ａに略垂直に脚体（丸脚）２１を取り付けることができる。詳細には、上述した第１実施形態と同様、脚体側金具４２の頭部４３を板体側金具３２の貫通孔３６に嵌入させた後に、金具本体３３のネジ孔３９に取り付けられた固定ネジ４１の先端面４１ｂをクビレ部４４の上部斜面４５ａに付き当てることで、貫通孔３６に嵌入された頭部４３がその位置に保持されるとともに、固定ネジ４１を更に締め付けることで、頭部４３は貫通孔３６の奥側へと進み、これにより、この取付具３１を介して板体１３と丸脚２１が相対的に引き付けられ、板体１３に対して丸脚２１を強固に固定することができる。
【００４３】
上述した第２実施形態によれば、第１実施形態と同様、板体側金具３２と脚体側金具４２の間に従来のような挟持金具が介在しないため、部品点数が少なくなる。また、板体側金具３２では、金具本体３３に本体部３４から突出した突出部３５を設けたことにより、板体側金具３２と脚体側金具４２を連結するために固定ネジ４１が螺合されるネジ孔３９を設けるための面積を確保することができる。これにより、ネジ孔３９を設けたことによる強度低下はなくなり、金具本体３３には十分な強度が得られる。さらに、板体１３と脚体２１を連結するときに、脚体側金具４２の頭部４３は板体側金具３２の貫通孔３６と嵌合状態であるため、固定ネジ４１を締め付けても頭部４３が板体１３の下面１３ａの面方向にスライド移動することがない。これにより、連結時に脚体２１の位置ずれなどが生じることはなくなる。
【００４４】
また、金具本体３３（本体部３４）に設けられた複数の抜止部４０により、金具本体３３を板体１３の取付凹部１４に嵌入した後の抜止強度を高めることができる。
【００４５】
さらに、脚体側金具４２が鉄又はステンレスを材料していることで、その強度を従来の亜鉛と比べて高めることができる。これにより、取付具３１を全体として小型にすることができ、このように小型形成しても、取付具３１として十分な強度が得られる。
【００４６】
また、図１１に示すように、この取付具３１では、板体側金具３２の金具本体３３を小径に形成することができることから、板体１３の隅にきわめて近い位置に脚体（丸脚）２１を取り付けることが可能となる。なお、従来は、板体側金具に大径な円板状の受け金具を必要としていたため、板体の下面の取付凹部を隅に近づけることができず、脚付き家具としてはデザイン的に制約を受けていたが、このような小型の取付具３１としたことで、多様な家具デザインに対応させることができるようになる。
【００４７】
さらに、脚体２１は、板体側金具３２と脚体側金具４２を連結した後でも板体１３の下面１３ａの面方向に回転させることができる。したがって、上述した第１実施形態と同様、図７に示すように、脚体２１が角脚などの場合、この角脚２１を取り付けたときに板体１３の隅に対して角脚２１の角がずれていても、角脚２１を回転方向に微調整することでこのようなずれを解消することができる。
【００４８】
また、頭部４３の側周面に凹凸４３ａが設けられたことにより、板体側金具３２と脚体側金具４２を連結したときの頭部４３の回転を摩擦により抑制することができる。
【００４９】
さらに、板体側金具３２において、金具本体３３の貫通孔３６が本体部３４の略中央に設けられたことにより、板体側金具３２に対する脚体２１の取付位置が明確となり、その取付作業が容易となる。また、貫通孔３６が本体部３４の略中央にあることで、貫通孔３６の周囲に十分な面積を確保することができるため、多数のネジ孔３８を設けることが可能となる。これにより、取付凹部１４に取り付けられた板体側金具３２をこの凹部１４に強固に止めることができる。
【００５０】
なお、上述した第１及び第２実施形態では、板体側金具２，３２の貫通孔６，３６とこの貫通孔６，３６に嵌入される脚体側金具１５の頭部１６，４３を共に略円形に形成しているが、例えば、これらを矩形として、回転方向への回転を防止するように構成してもよい。このように構成すると、貫通孔６，３６及び頭部１６，４３を円形に形成したことによる回転方向の微調整可能という効果は得られなくなるが、取り付けたときに位置が決まるため、その位置ずれを防ぐことができるという、円形の場合と相反する利点がある。
【００５１】
また、上述した第１及び第２実施形態（取付具１，３１）を用いて卓や椅子などの脚付き家具を製造することにより、この脚付き家具は、取付具１，３１が小型で部品点数が少ないために安価であることから、家具全体としても安価になるとともに、これに加えて、脚体２１の取付位置が調整可能となることから製品としての歩留り低下を抑えることができ、更に安価となる。
【符号の説明】
【００５２】
１，３１…脚体の取付具
２，３２…板体側金具
３，３３…金具本体
４，３４…本体部
５，３５…突出部
６，３６…貫通孔
９，３９…ネジ孔
１０，４０…抜止部
１２，４１…固定ネジ
１２ｂ，４１ｂ…先端面
１３…板体
１３ａ…下面
１４…凹部（取付凹部）
１５，４２…脚体側金具
１６，４３…頭部
１７，４４…クビレ部
１８ａ，４５ａ…上部斜面
１８ｂ，４５ｂ…下部斜面
２０，４７…ネジ部
２１…脚体
２１ａ…上端面
【要約】
【課題】小型で部品点数が少なく、脚体の回転方向の調整が可能な脚付き家具における脚体の取付具及びこれを用いた脚付き家具を提供すること。
【解決手段】板体１３に取り付けられる板体側金具２が、本体部４と突出部５とからなり、貫通孔６が設けられ、突出部５との境界付近から貫通孔６まで斜めに貫通したネジ孔９が設けられた金具本体３と、ネジ孔９に取り付けられる固定ネジ１２とを備え、脚体２１に取り付けられる脚体側金具１５が、板体側金具２の貫通孔６に嵌入可能な形状に形成され、その側周面に上部斜面１８ａと下部斜面１８ｂとからなるクビレ部１７が設けられた頭部１６と、その下方に木螺子からなるネジ部２０とを備え、板体側金具２と脚体側金具１５の連結時に、頭部１６を金具本体３の貫通孔６に嵌入させ、固定ネジ１２を締め付けてその先端面１２ｂをクビレ部１７の上部斜面１８ａに付き当てることで貫通孔６に頭部１６を嵌入状態で保持する。
【選択図】図５【図１】
0005569992.tif 000002
【図２】
0005569992.tif 000003
【図３】
0005569992.tif 000004
【図４】
0005569992.tif 000005
【図５】
0005569992.tif 000006
【図６】
0005569992.tif 000007
【図７】
0005569992.tif 000008
【図８】
0005569992.tif 000009
【図９】
0005569992.tif 000010
【図１０】
0005569992.tif 000011
【図１１】
0005569992.tif 000012